(57)【要約】【課題】外力を吸収しても損傷を抑制できる容器を提供する。【解決手段】蓋材３の段差部３３と容器本体の立壁部２５の先端との間隙の距離をＡ、蓋材３の段差部３３から外周縁となる側壁部３１Ａの下端縁までの距離をＢ、当接面２６Ａの基端部と係脱部３１の下端縁との間の距離をＣ、当接面２６Ａと当該当接面２６Ａに対向する係脱部３１の下端縁との間の距離をＤ、立壁部２５の基端外周面から当接面２６Ａが湾曲しない最外周縁までの距離をＸとしたとき、距離Ｂ＞距離Ａ≧距離Ｄで、かつ以下の式に示す関係である。外力が作用した際、側壁部３１Ａの下端および当接面２６Ａの当接と、段差部３３および立壁部２５の当接の２点で外力を分散して吸収できるとともに、側壁部３１Ａの下端が外方へ広がるように弾性変形して外力を吸収し、蓋材３の損傷を防止できる。    Ｘ＞｛（Ｂ２−（Ｂ−Ａ＋Ｄ）２）１／２＋Ｃ｝【選択図】図３
2014125219.tif 000002
【特許請求の範囲】
【請求項１】
鉛直方向の上面に開口部を有した容器本体と、
前記容器本体に着脱可能に取り付けられ前記開口部を開閉する蓋材とを備え、
前記蓋材は、前記容器本体の開口部の外周側に外方から係脱可能な係脱部と、前記開口部の開口縁に鉛直方向で間隙を介して対向する段差部とを備え、
前記容器本体は、前記開口部の外周側に外方に向けて延出して設けられ前記蓋材の外周縁が当接する当接面を備え、
前記当接面は、前記間隙の距離をＡ、前記蓋材の段差部から外周縁までの距離をＢ、前記当接面の基端部と前記係脱部との間の距離をＣ、前記当接面と当該当接面に対向する前記蓋材の外周縁との間の距離をＤとしたとき、前記開口部の外周側側面から｛（Ｂ２−（Ｂ−Ａ＋Ｄ）２）１／２＋Ｃ｝の距離より長い距離で延出され、かつ距離Ｂ＞距離Ａ≧距離Ｄである
ことを特徴とする容器。
【請求項２】
請求項１に記載の容器であって、
距離Ａ＞距離Ｄである
ことを特徴とする容器。
【請求項３】
請求項１または請求項２に記載の容器であって、
前記間隙の距離Ａは、以下の式（１）の条件である
｛（Ｂ＋Ｄ）−Ａ｝／Ｂ＞３１／２／２    …（１）
ことを特徴とする容器。
【請求項４】
請求項１から請求項３までのいずれか一項に記載の容器であって、
前記容器本体は、前記蓋材の外周縁が対向する当接面の位置より外周側に、鉛直方向の上方に向けて突設された突部を備えている
ことを特徴とする容器。
【請求項５】
請求項１から請求項４までのいずれか一項に記載の容器であって、
前記当接面と、当該当接面に対向する前記蓋材の外周縁とのうちの少なくともいずれか一方は、粗面に形成されている
ことを特徴とする容器。
【請求項６】
請求項１から請求項５までのいずれか一項に記載の容器であって、
樹脂原料の射出成形により形成された
ことを特徴とする容器。
【請求項７】
請求項１から請求項６までのいずれか一項に記載の容器であって、
マーガリン用である
ことを特徴とする容器。
【発明の詳細な説明】
【技術分野】
【０００１】
本発明は、容器本体と、当該容器本体に着脱可能に取り付けられ容器本体の開口部を開閉する蓋材を備えた容器に関する。
【背景技術】
【０００２】
粘性を有する調味料、あるいは惣菜や調理食材など、食品や食材を収容する容器として、用途に応じて各種形状のプラスチック容器が利用されている。これらプラスチック容器において、蓋材の周縁を弾性変形することで、容器本体の上面開口部の外周部に係脱し、上面開口部を開閉する構成が採られている（例えば、特許文献１〜３参照）。
これら特許文献１〜３に記載の従来の容器では、容器本体の外周部に係脱可能に係合して上面開口部を閉塞する係合部を有した蓋材を備えている。蓋材の係合部は、蓋材の最外周縁に設けられ容器本体の外周縁に係脱する係脱面部と、当該係脱面部に連続するとともに蓋材の天面部分に連続して設けられ、容器本体の開口部の外周縁の上面に面で当接する当接面部とから構成されている。
【先行技術文献】
【特許文献】
【０００３】
【特許文献１】特開平９−２５５０６７号公報
【特許文献２】特開２００４−６７１４０号公報
【特許文献３】特開２０１１−６８３９６号公報
【発明の概要】
【発明が解決しようとする課題】
【０００４】
しかしながら、上記特許文献１〜３に記載のような容器では、蓋材に外力が作用した際、例えば図１に示すように、蓋材Ｍの外周縁Ｍ１が外方に広がるように変形し、外周縁Ｍ１などに割れが生じたり、外周縁Ｍ１が伸びで容器本体Ｎと係脱できなくなったりするなどの損傷を生じるおそれがある。
【０００５】
本発明の目的は、外力を吸収しても損傷を抑制できる容器を提供することにある。
【課題を解決するための手段】
【０００６】
本発明の蓋材は、鉛直方向の上面に開口部を有した容器本体と、前記容器本体に着脱可能に取り付けられ前記開口部を開閉する蓋材とを備え、前記蓋材は、前記容器本体の開口部の外周側に外方から係脱可能な係脱部と、前記開口部の開口縁に鉛直方向で間隙を介して対向する段差部とを備え、前記容器本体は、前記開口部の外周側に外方に向けて延出して設けられ前記蓋材の外周縁が当接する当接面を備え、前記当接面は、前記間隙の距離をＡ、前記蓋材の段差部から外周縁までの距離をＢ、前記当接面の基端部と前記係脱部との間の距離をＣ、前記当接面と当該当接面に対向する前記蓋材の外周縁との間の距離をＤとしたとき、前記開口部の外周側側面から｛（Ｂ２−（Ｂ−Ａ＋Ｄ）２）１／２＋Ｃ｝の距離より長い距離で延出され、かつ距離Ｂ＞距離Ａ≧距離Ｄであることを特徴とする。
ここで、当接面が開口部の外周側側面から延出する長さが、｛（Ｂ２−（Ｂ−Ａ＋Ｄ）２）１／２＋Ｃ｝の距離以下となると、外力が作用して蓋材の段差部が容器本体の開口部の開口縁に当接した際に、例えば図１に示すように、蓋材の外周縁が当接面の先端から外側へ外れてより広げられる状態となり、蓋材に割れや伸びなどの損傷を生じてしまうためである。
また、距離Ａ＜距離Ｄでは、外力が作用し、段差部が容器本体の開口部の開口縁に当接した際に、係脱部の外周縁が当接面に当接せず、係脱部の外周縁と当接面との当接による外力の吸収が得られなくなるためである。
【０００７】
この発明では、蓋材の外周縁が当接する容器本体の当接面を、所定の寸法に形成するので、外力が蓋材に作用した際、蓋材の段差部が開口縁に当接するとともに、蓋材の外周縁が当接面から脱落することなく当接面に当接する状態となる。
このため、容器本体と蓋材とが当接する２カ所で外力を吸収でき、外力により蓋材の外周縁が広がって割れや伸びなどの損傷が生じることを防止できる。したがって、損傷により蓋材が容器本体に取り付けできなくなる不都合を防止できる。
【０００８】
そして、本発明では、距離Ａ＞距離Ｄである構成とすることが好ましい。
この発明では、蓋材の段差部が開口部の開口縁に当接する前に蓋材の外周縁が当接面に当接する状態となる。
このため、蓋材の外周縁が当接面に当接する状態から蓋材の段差部が開口部の開口縁に当接するまで、蓋材の外周縁が外側に広がるように弾性変形して外力を吸収でき、蓋材の損傷を防止できる。
【０００９】
さらに、本発明では、前記間隙の距離Ａは、以下の式（１）の条件である構成とすることが好ましい。
｛（Ｂ＋Ｄ）−Ａ｝／Ｂ＞３１／２／２    …（１）
この発明では、間隙の距離Ａを式（１）となる条件に形成することで、段差部が開口縁に当接した状態で蓋材の外周縁が外方に広がった際の角度が３０°より小さくなる状態となる。
このため、蓋材の段差部が容器本体の開口縁に当接した際、蓋材の外周縁が外側に大きく広がらず、蓋材の損傷をより防止できる。
ここで、間隙の距離Ａが式（１）を満足しないと、外力が作用した際に蓋材の外周縁が大きく外方に広がる状態となり、損傷するおそれがあるためである。
【００１０】
そして、本発明では、前記容器本体は、前記蓋材の外周縁が対向する当接面の位置より外周側に、鉛直方向の上方に向けて突設された突部を備えている構成とすることが好ましい。
この発明では、当接面に蓋材の外周縁が対向する位置より外周側に、鉛直方向の上方に向けて突部を突設することで、外力が蓋材に作用し蓋材の外周縁が外方へ開くように変形した際に、突部に蓋材の外周縁が当接する。
このため、蓋材の外周縁が当接面から外れることをより確実に防止でき、蓋材の外周縁が広がって割れや伸びなどの損傷が生じることをより防止できる。
【００１１】
また、本発明では、前記当接面と、当該当接面に対向する前記蓋材の外周縁とのうちの少なくともいずれか一方は、粗面に形成されている構成とすることが好ましい。
この発明では、当接面と、当該当接面に対向する蓋材の外周縁とのうちの少なくともいずれか一方を粗面とすることで、外力が蓋材に作用した際、当接面と当該当接面に当接する蓋材の外周縁との摩擦が増大する。
このため、蓋材の外周縁が外方へ開くように変形することが抑制され、蓋材の外周縁が広がって割れや伸びなどの損傷が生じることをより防止できる。
【００１２】
そして、本発明では、樹脂原料の射出成形により形成された構成とすることが好ましい。
この発明では、係脱部の係脱に寸法精度が要求される場合でも射出成形により精度よく成形できることから、外力により損傷せず、かつ寸法精度が要求される係脱部の係合が外れるなどの不都合を防止でき、良好な係脱が得られる。
【００１３】
また、本発明では、マーガリン用として構成することが好ましい。
この発明では、マーガリンは外部環境により液状化または固形化するので、マーガリンが漏れ出ることを防止するための寸法精度が必要で、かつ内容物のマーガリンを利用する毎に開口部の開閉動作が実施され、繰り返される開閉動作毎に押圧力が良好に係脱部に作用して良好な開閉感を提供する必要があり、誤って落下して外力が作用しても損傷しない構成が必要である点で、特に有効である。
【図面の簡単な説明】
【００１４】
【図１】本発明を説明するための前提となる技術における容器を示す一部を切り欠いた断面図。
【図２】本発明の容器に係る一実施形態を示す分解斜視図。
【図３】図２中Ｉ−Ｉにおける一部を切り欠いた断面図。
【図４】図２中IV−IVにおける一部を切り欠いた断面図。
【図５】本発明の容器に係る他の実施形態を示す一部を切り欠いた断面図。
【図６】本発明の容器に係るさらに他の実施形態を示す一部を切り欠いた断面図。
【図７】本発明の容器に係るさらに他の実施形態を示す一部を切り欠いた断面図。
【図８】本発明の容器に係るさらに他の実施形態を示す一部を切り欠いた断面図。
【発明を実施するための形態】
【００１５】
以下、本発明の容器に係る一実施形態について図面を参照して説明する。
［容器の構成］
図２〜４に示すように、１は容器で、容器１は、例えばマーガリンなどの粘性を有する食材を収容する容器である。この容器１は、鉛直方向の上面に開口部２１を有した容器本体２と、当該容器本体２に着脱可能に取り付けられ開口部２１を開閉する蓋材３とを具備している。
【００１６】
容器本体２は、略長方形で四隅が円弧状の図示しない底板部と、当該底板部の外周縁に鉛直方向の上方に向けて拡径するように屈曲形成された側板部２３と、当該側板部２３の上端縁に外方に向けて鍔状に屈曲形成された鍔部２４と、当該鍔部２４の外周縁に上方に向けて屈曲形成された立壁部２５と、鍔部２４の外周縁から外方に向けてさらに延設された上面に当接面２６Ａを有した当接部２６とを備え、立壁部２５の上端縁にて開口部２１が開口形成されている。
立壁部２５は、上方に向けて次第に厚み寸法が薄くなるようにテーパー状に形成されている。また、立壁部２５の外周面には、四隅に位置して外方に突出する係止爪部２７が設けられている。
なお、当接部２６は、詳細は後述するが、容器本体２の開口部２１の外周側側面、すなわち立壁部２５の基端から外周側へ所定の突出長さに形成されている。
【００１７】
そして、容器本体２は、例えばポリエチレンやポリプロピレン、ポリスチレン、ポリ乳酸などの樹脂原料により、射出成形にて形成される。
容器本体２は、開口部２１の長手方向の寸法が１２０ｍｍ以上１５０ｍｍ以下、短手方向の寸法が９０ｍｍ以上１２０ｍｍ以下、開口部２１の長手方向寸法／短手方向寸法＝１．２以上１．４以下で、容器本体２の高さ寸法は、２５ｍｍ以上５５ｍｍ以下で形成されている。
【００１８】
蓋材３は、容器本体２の開口部２１の外周側に外周方向から係脱可能な係脱部３１と、容器本体２の開口部２１を覆う天面部３２と、係脱部３１および天面部３２の間に設けられた段差部３３とを備えている。
係脱部３１は、鉛直方向に略沿った平面を有し、容器本体２の開口部２１より外周側となる立壁部２５に重なるように取り付けられる側壁部３１Ａと、当該側壁部３１Ａの内面側に突設され、容器本体２の係止爪部２７に係脱し取り付けられる係合爪部３１Ｂとを備えている。
【００１９】
天面部３２は、略長方形で四隅が円弧状の天板部３２Ａと、当該天板部３２Ａの周縁が下方に向けて屈曲形成された側面部３２Ｂを有し、下方に開口するドーム状に形成されている。
側面部３２Ｂは、平面が鉛直方向に略沿うように形成されるが、型抜きテーパーなどの製造性の点で、水平面に対してなす角θが好ましくは８５°以上９５°未満となるように設計されている。
【００２０】
段差部３３は、係脱部３１の側壁部３１Ａの上端から内方に折曲形成されて水平面に略沿った平面を有して形成されている。段差部３３の内周縁は、天面部３２の側面部３２Ｂの下端縁に連続して形成されている。
【００２１】
ここで、図３に示すように、蓋材３の段差部３３と容器本体の立壁部２５の先端との間隙の距離をＡ、蓋材３の段差部３３から外周縁となる側壁部３１Ａの下端縁までの距離をＢ、当接面２６Ａの基端部と係脱部３１の下端縁との間の距離をＣ、当接面２６Ａと当該当接面２６Ａに対向する係脱部３１の下端縁と間の距離をＤ、容器本体２の当接部２６が突出する距離、すなわち、開口部２１の外周側側面である立壁部２５の基端外周面から当接面２６Ａの最外周縁までの距離をＸとすると、容器１は、距離Ｂ＞距離Ａ≧距離Ｄであって、以下の式（２）に示す関係に形成されている。
Ｘ＞｛（Ｂ２−（Ｂ−Ａ＋Ｄ）２）１／２＋Ｃ｝  …（２）
【００２２】
また、蓋材３は、係脱部３１の係合爪部３１Ｂが容器本体２の係止爪部２７に係合して取り付けられた際、蓋材３の外周縁となる側壁部３１Ａの下端が当接面２６Ａに当接した状態となっている。
すなわち、距離Ｄが０となる条件である。
また、距離Ｄ≦距離Ａとなる条件で、容器１が形成されている。
【００２３】
ここで、距離Ｄ＞距離Ａでは、外力が作用し、段差部３３が立壁部２５に当接した際に、係脱部３１の側壁部３１Ａの下端が当接面２６Ａに当接せず、係脱部３１の外周縁と当接部２６との当接による外力の吸収が得られなくなるためである。
また、Ｘ≦｛（Ｂ２−（Ｂ−Ａ＋Ｄ）２）１／２＋Ｃ｝では、外力が作用して蓋材３の段差部３３が容器本体２の立壁部２５に当接した際、例えば図１に示すように、蓋材３の係脱部３１が当接面２６Ａの先端から外側へ外れてより広げられる状態となり、蓋材３に割れや伸びなどの損傷を生じてしまうためである。
【００２４】
特に、当接面２６Ａ、係脱部３１、立壁部２５の関係は、｛（Ｂ＋Ｄ）−Ａ｝／Ｂ＞３１／２／２となることが好ましい。
すなわち、段差部３３が立壁部２５に当接した状態で蓋材３の側壁部３１Ａの下端が外方に広がった際の角度が３０°より小さくなる状態とすることが好ましい。
このことにより、側壁部３１Ａの下端が外方へ大きく広がることによる損傷を生じず、外力を良好に吸収できる。
【００２５】
［容器の変形状況］
次に、上記容器に外力が作用した状況について説明する。
例えば、容器が落下するなどにより、蓋材３に外力が作用した際、まず蓋材３の側壁部３１Ａの下端が容器本体２の当接面２６Ａに押し付けられる状態となり、側壁部３１Ａの下端と当接面２６Ａとの間の摩擦力が増大する。この摩擦力により、外力の一部を吸収する。
そして、さらなる外力により、図３に示す実線で示す状態から二点鎖線で示す状態に、側壁部３１Ａの下端が外方へ広がるように弾性変形するとともに、蓋材３の段差部３３が容器本体２の立壁部２５に当接する。
この図３の二点鎖線で示す状態で、容器本体２と蓋材３とが当接する２点で外力を分散して吸収するとともに、側壁部３１Ａの下端が外方へ広がるような弾性変形により外力を吸収でき、蓋材３が割れるなどの損傷を防止できる。さらに、側壁部３１Ａの下端は、この図３の二点鎖線で示す状態からさらに外部に広がる弾性変形は生じないので、係脱部３１が広がりすぎて割れが生じたり、伸びてしまう塑性変形が生じたりするなどの損傷を防止できる。
【００２６】
一方、蓋材３を容器本体２に係合させて開口部２１を閉塞する通常動作の場合、容器本体２の立壁部２５の外周側に蓋材３の係脱部３１を嵌め合わせる。そして、係脱部３１の係合爪部３１Ｂが容器本体２の係止爪部２７に乗り上げる状態となる。この状態で、利用者が蓋材３に押圧力を作用させると、係合爪部３１Ｂが係止爪部２７を乗り越えるとともに、側壁部３１Ａの下端が当接面２６Ａに当接し、良好な取付感を提供して蓋材３が容器本体２に取り付けられる。
特に、収容するマーガリンは、外部環境により液状化または固形化するので、マーガリンが漏れ出ることを防止するための寸法精度が必要で、かつ内容物のマーガリンを利用する毎に開口部２１の開閉動作が実施され、繰り返される開閉動作毎に押圧力が良好に係脱部３１に作用して良好な開閉感を提供する必要があることから、射出成形した容器１により、良好な寸法精度が得られ、内容物の適切な収容と、蓋材３の良好な開閉が得られる。さらに、射出成形により、誤って落下して外力が作用しても損傷しない材料を選定することが容易にできる。
【００２７】
そして、上記実施形態では、距離Ｂ＞距離Ａ≧距離Ｄで、かつ当接面２６Ａが開口部２１の外周側側面から延出する長さを、｛（Ｂ２−（Ｂ−Ａ＋Ｄ）２）１／２＋Ｃ｝の距離より長い距離としている。
このため、外力が蓋材３に作用した際、蓋材３の段差部３３が開口縁である立壁部２５に当接するとともに、蓋材３の側壁部３１Ａの下端が当接面２６Ａから脱落することなく当接面２６Ａに当接する状態となる。
このため、容器本体２と蓋材３とが当接する２カ所で外力を吸収でき、外力により蓋材３の外周縁が広がって割れや伸びなどの損傷が生じることを防止できる。したがって、損傷により蓋材３が容器本体２に取り付けできなくなる不都合を防止できる。
【００２８】
特に、上記実施形態では、距離Ｂ＞距離Ａ＞距離Ｄとしている。
このため、蓋材３の側壁部３１Ａの下端が当接面２６Ａに当接する状態から蓋材３の段差部３３が立壁部２５に当接するまで、蓋材３の外周縁が外側に広がるように弾性変形して外力を吸収でき、蓋材３の損傷を防止できる。
【００２９】
また、上記実施形態では、蓋材３が容器本体２に取り付けられた状態で、距離Ｄが０、すなわち蓋材３の外周縁が当接面２６Ａに当接する状態としている。
このため、蓋材３を容器本体２に取り付けた際、係合爪部３１Ｂが係止爪部２７を乗り越えるとともに、蓋材３の側壁部３１Ａの下端と当接面２６Ａとの当接による取付感が得られ、蓋材３の良好な取付感を提供できる。
【００３０】
さらに、上記実施形態では、｛（Ｂ＋Ｄ）−Ａ｝／Ｂ＞３１／２／２の条件で設計されている。
このため、段差部３３が立壁部２５に当接した状態で蓋材３の側壁部３１Ａの下端が外方に広がった際、外側に広がる角度が３０°より小さくなる状態となる。したがって、蓋材３の段差部３３が容器本体２の立壁部２５に当接した際、蓋材３の側壁部３１Ａの下端が外側に大きく広がらず、蓋材３の損傷をより防止できる。
【００３１】
［変形例］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
具体的には、上記実施形態では、マーガリンを収容する容器を例示したが、バター、ショートニング、生クリーム、カスタードクリーム、各種ジャム、チーズなどの食材の他、アイスクリームや惣菜、弁当などの食品、化粧品、接着剤や充填剤、グリースなどの工業品、ビーズやクリップなどの玩具や文具など、各種物品の収容に利用できる。
【００３２】
そして、使用する樹脂原料は、収容する物品、加熱や冷凍などの用途などに応じて設定される。
また、蓋材３は、射出成形品に限られるものではなく、例えば惣菜やお弁当など１回で使い捨てされる容器など、寸法精度が比較的に要求されない用途の場合、シート成形など、他の成形方法で成形したものでもよい。
【００３３】
そして、段差部３３としては、例えば、蓋材３の内面のみ設け、蓋材３の天面部３２の側面部３２Ｂの外面から係脱部３１の側壁部３１Ａの外面に渡って段差とならずに一連に設けてもよい。
さらに、蓋材３は、用途や意匠性などを考慮して、適宜凹凸形状を設けてもよい。
【００３４】
また、蓋材３の係脱部３１として、容器本体２の係止爪部２７に係脱する係合爪部３１Ｂを側壁部３１Ａに設けた構成に限らず、例えば、係合爪部３１Ｂを設けず、側壁部３１Ａの外周縁が容器本体２の立壁部２５の外周面に擦り合わさって保持される構成としたり、容器本体２の係止爪部２７や外周縁に側壁部３１Ａの下端縁が乗り越えて係止される構成としたりするなど、外周側から係脱するいずれの構成とすることができる。
【００３５】
そして、例えば図５に示すように、係脱部３１の側壁部３１Ａの下端が外方に向けて断面Ｌ字状に折曲形成され、下面が容器本体２の当接面に当接するフランジ部３１Ｃを設けてもよい。
さらに、当接面２６Ａに、外力が作用して係脱部３１の外周縁が外方へ弾性変形した際に当接する突部を設けてもよい。さらに、突部に代えて、図６に示すように、当接部２６の先端縁を上方に向けて屈曲形成し、外力が作用して係脱部３１の外周縁が外方へ弾性変形した際に当接するようにしてもよい。
【００３６】
また、上記実施形態では、係脱部３１の係合爪部３１Ｂを容器本体２の係止爪部２７に係合した際、蓋材３の側壁部３１Ａの下端が当接面２６Ａに当接した状態、距離Ｄ＝０としたが、この場合に限らず、例えば図７に示すように、側壁部３１Ａの下端が当接面２６Ａに当接していなくてもよい。
そして、距離Ｄ＜距離Ａとしたが、距離Ｄ＝距離Ａとしてもよい。この場合、外力が作用して側壁部３１Ａの下端が当接面２６Ａに当接した際に、段差部３３が立壁部２５の先端に当接することとなる。なお、上述したように、距離Ｄ＜距離Ａとすることで、外力が作用した際に係脱部３１の側壁部３１Ａの下端が外方へ弾性変形する状態となり、外力を吸収できるので好ましい。
【００３７】
また、容器本体２の当接面２６Ａとしては、側板部２３の上端縁の鍔部２４に連続して設けた当接部２６により構成する場合に限らず、例えば図８に示すように、側板部２３の上端縁を内方に屈曲形成した部位の上面に構成するなどしてもよい。
【００３８】
さらに、係脱部３１は、蓋材３の全周囲に亘って設けられる必要はなく、長手方向または短手方向の一部に設けた構成としてもよい。
【００３９】
その他、本発明を実施する際における具体的な構造および形状などは、本発明の目的および効果を達成できる範囲内において、他の構造や形状などとしても問題はない。本発明は前記した各実施形態に限定されるものではなく、本発明の目的を達成できる範囲での変形や改良は、本発明に含まれるものである。
【産業上の利用可能性】
【００４０】
本発明は、食品、化粧品、工業品、玩具や文具などの各種物品を収容する容器に適用できる。
【符号の説明】
【００４１】
１……容器
２……容器本体
３……蓋材
２１……開口部
２６Ａ…当接面
３１……係脱部
３３……段差部
【図１】
2014125219.tif 000003
【図２】
2014125219.tif 000004
【図３】
2014125219.tif 000005
【図４】
2014125219.tif 000006
【図５】
2014125219.tif 000007
【図６】
2014125219.tif 000008
【図７】
2014125219.tif 000009
【図８】
2014125219.tif 000010